(57)【要約】【課題】巡回在宅診療などで複数の患者の訪問治療に好適であるとともに、術者の目の負担を減らした口腔内照明具およびそのカバー部材を提供する。【解決手段】口腔内照明具１は、本体部１１、フック体１２、キャップ体１３、カバー部材２０を備えている。フック体１２は、先端部が口腔内に挿入可能であって下歯に懸架可能な中空体であり、先端部から所定距離離れた箇所に光照射部３０を有している。光照射部３０に位置するフック体内部には、例えば、ＬＥＤが設けられ、本体部１１に設けた電池４０から電力が供給されるようになっている。フック体１２には、フック体１２を覆うカバー部材２０が着脱自在に設けられ、患者ごとに交換可能となっている。【選択図】図２
2016087299.tif 000002
【特許請求の範囲】
【請求項１】
先端部が口腔内に挿入可能であって下歯に懸架可能な中空のフック体を有する口腔内照明具において、前記フック体は先端部から所定距離離れた箇所に光照射部となる開口部を有し、前記フック体を覆う着脱可能なカバー部材を備えたことを特徴とする口腔内照明具。
【請求項２】
前記カバー部材は、前記フック体に装着された際に、前記フック体の開口部に位置する部位以外の部位が光透過不能に構成されていることを特徴とする請求項１に記載の口腔内照明具。
【請求項３】
前記カバー部材は、前記フック体に装着された際に、前記フック体の開口部に位置する部位が光拡散部材で構成されていることを特徴とする請求項１または２に記載の口腔内照明具。
【請求項４】
前記カバー部材は一端が開口し他端が閉じた円筒状の合成樹脂材料からなり、開口端側に長手方向に沿った切込みが設けられていることを特徴とする請求項１から３のいずれか１に記載の口腔内照明具。
【請求項５】
前記フック体の表面および前記カバー部材の内面の少なくともいずれか一方が微細凹凸面に形成されていることを特徴とする請求項１から４のいずれか１に記載の口腔内照明具。
【請求項６】
前記フック体の下方に電池を内蔵可能な本体部を有し、該電池によって駆動される光源からの光を前記光照射部から照射することを特徴とする請求項１から５のいずれか１に記載の口腔内照明具。
【請求項７】
前記光源は前記光照射部の近傍に配設された発光ダイオードからなることを特徴とする請求項６に記載の口腔内照明具。
【請求項８】
前記光源は前記本体部に配設された発光ダイオードからなり、該発光ダイオードからの光を前記光照射部に導光するライトガイドを有することを特徴とする請求項６に記載の口腔内照明具。
【請求項９】
少なくとも前記カバー部材を設けた部位を覆う透明カバーをさらに有することを特徴とする請求項１〜６のいずれか１に記載の口腔内照明具。
【請求項１０】
請求項１から９のいずれか１に記載の口腔内照明具に使用されるカバー部材。
【発明の詳細な説明】
【技術分野】
【０００１】
本発明は、口腔内照明具、より詳細には、歯科診療において、患者の下歯に懸架した状態で口腔内を照明可能にした口腔内照明具に係り、術者が両手を自由に使用して歯科治療を行なえるようにした口腔内照明具に関する。
【背景技術】
【０００２】
近年の高齢化社会を背景に、高齢者や自宅療養者の介護サービスが社会的に要請されている。そして、医療面においても、自宅での歯科治療のニーズが高くなってきており、歯科の巡回在宅診療の普及が重要となってきている。
【０００３】
ところで、訪問治療現場では室内の照明が暗い場所が多いため、別照明が必要となる。現在は手持ち型の小型照明灯が主に使用されておるが、他にバイトブロックのように咬ませる部分を持たせた照明灯などがある。手持ち型照明灯を用いる場合、術者は、片方の手で照明灯をかざして口腔内を照明する必要があることから、残った他方の手のみで作業をしなければならず、非常に不便であった。このため、照明のための補助者を必要とするかあるいは照明をあきらめざるを得なかった。また、バイトブロックの場合、使用するためにある程度の開口角度が必要であるが、介護を受ける患者の開口角は大きくないため装着できる患者は極端に絞られてしまうといった問題があった。
【０００４】
このため、携帯型の新たな口腔内照明具が必要とされていたが、例えば、口腔内照明具として、電池内蔵筐体と、光源部フック体と、電池内蔵筐体と光源部フック体とを接続するリード線とから成り、フック体を患者の下顎に懸架した状態で、フック体に設けられた光源を筐体に内蔵された電池により点灯可能としたものが特許文献１に開示されている。
【先行技術文献】
【特許文献】
【０００５】
【特許文献１】特開２０１３−１２８５１３号公報
【発明の概要】
【発明が解決しようとする課題】
【０００６】
特許文献１に開示された口腔内照明具を用いると、フック体を患者の下顎に懸架した状態で口腔内を照明でき、術者は両手を自由に使えるため、術者はより効果的に歯科治療を行うことが可能となる。しかしながら、訪問治療において特許文献１に開示された口腔内照明具では、フック体を直接口腔内に挿入するため、一人の患者の治療に用いた後、他の患者の治療を行う際に、滅菌処理を行う必要としていた。しかしながら、訪問治療現場では十分な滅菌処理を行うことがでず、このため、特許文献１に開示された口腔内照明具は、巡回在宅診療などによる複数の患者の訪問治療には適していなかった。
【０００７】
また、近年の技術革新により高輝度ＬＥＤ（発光ダイオード）を用いた照明が主流となっているが、特許文献１に開示された口腔内照明具において、光源として高輝度ＬＥＤを用いた場合に、反射光や側射光が直接術者の目に入り、目の疲労に繋がるといった問題もあった。
【０００８】
本発明は、上述のごとき実情に鑑みてなされたもので、巡回在宅診療などで複数の患者の訪問治療に好適であるとともに、術者の目の負担を減らした口腔内照明具およびそのカバー部材を提供することをその目的とする。
【課題を解決するための手段】
【０００９】
上記課題を解決するために、請求項１の発明は、先端部が口腔内に挿入可能であって下顎に懸架可能な中空のフック体を有する口腔内照明具において、前記フック体は先端部から所定距離離れた箇所に光照射部となる開口部を有し、前記フック体を覆う着脱可能なカバー部材を備えたことを特徴とする口腔内照明具を特徴とするものである。
【００１０】
請求項２の発明は、請求項１の発明において、前記カバー部材は、前記フック体に装着された際に、前記フック体の開口部に位置する部位以外の部位が光透過不能に構成されていることを特徴とするものである。
【００１１】
請求項３の発明は、請求項１または２の発明において、前記カバー部材は、前記フック体に装着された際に、前記フック体の開口部に位置する部位が光拡散部材で構成されていることを特徴とするものである。
【００１２】
請求項４の発明は、請求項１から３のいずれか１の発明において、前記カバー部材は一端が開口し他端が閉じた円筒状の合成樹脂材料からなり、開口端側に長手方向に沿った切込みが設けられていることを特徴とするものである。
【００１３】
請求項５の発明は、請求項１から４のいずれか１の発明において、前記フック体の表面および前記カバー部材の内面の少なくともいずれか一方が微細凹凸面に形成されていることを特徴とするものである。
【００１４】
請求項６の発明は、請求項１から５のいずれか１の発明において、前記フック体の下方に電池を内蔵可能な本体部を有し、該電池によって駆動される光源からの光を前記光照射部から照射することを特徴とするものである。
【００１５】
請求項７の発明は、請求項６の発明において、前記光源は前記光照射部の近傍に配設された発光ダイオードからなることを特徴とするものである。
【００１６】
請求項８の発明は、請求項６の発明において、前記光源は前記本体部に配設された発光ダイオードからなり、該発光ダイオードからの光を前記光照射部に導光するライトガイドを有することを特徴とするものである。
【００１７】
請求項９の発明は、請求項１から８のいずれか１の発明において、少なくとも前記カバー部材を設けた部位を覆う透明カバーをさらに有することを特徴とするものである。
【００１８】
請求項１０の発明は、請求項１から９のいずれか１の発明に使用されるカバー部材である。
【発明の効果】
【００１９】
本発明によれば、歯科治療に当って、患者の口腔内を照明する際に、術者は、患者の口腔内を照明するための機材を手に持つ必要がなく、両手を自由に使用して歯科治療を行うことができるので、より効果的に歯科治療を行うことができる。また、巡回診療を行う際に、口腔内照明具に装着したカバー部材のみを患者ごとに取り換えることにより、衛生状態が良好な状態で口腔内の照明を行うことができる。さらに、光源として高輝度ＬＥＤを用いた場合でも、反射光や側射光が直接術者の目に入ることがないため、術者の目の疲労に繋がることはない。加えて、患者の下歯には、カバー部材が当接し、直接フック体が当たることがないため、カバー部材を柔軟性のある材料で形成することによって、装着感が良好な口腔内照明具となる。
【図面の簡単な説明】
【００２０】
【図１】本発明に係る口腔内照明具の一例の外観図である。
【図２】本発明に係る口腔内照明具の一例の断面図である。
【図３】本発明に係る口腔内照明具の一例の要部断面図である。
【図４】本発明に係る口腔内照明具のカバー部材の一例とその装着例を説明するための図である。
【図５】本発明に係る口腔内照明具の他の例の断面図である。
【図６】本発明に係る口腔内照明具のさらに他の例の断面図である。
【発明を実施するための形態】
【００２１】
以下、図面を参照しながら、本発明の口腔内照明具およびそのカバー部材に係る好適な実施の形態について説明する。以下の説明において、異なる図面においても同じ符号を付した構成は同様のものであるとして、その説明を省略する場合がある。
【００２２】
（第１の実施形態）
図１は、本発明に係る口腔内照明具の一例の外観図であり、図２は、その断面図である。なお、図２では発光部の断面については省略されている。また、図３は、図２の要部断面図である。口腔内照明具１は、本体部１１、フック体１２、キャップ体１３、カバー部材２０を備えている。フック体１２は例えば真鍮のパイプ状部材（直径約１０ｍｍ以下）を所定の曲率によって曲げることにより形成されており、曲げられた内側面側を患者の下歯に懸架することにより、患者に装着可能となっている。フック体１２の先端から所定距離（１０ｍｍ〜２０ｍｍ）離れた上面には、患者の口腔内を照射する光照射部３０が設けられている。これにより、術者は、手ぶらで診療ができ、口腔内照明としても侵食域が最も少なく、インスツルメントとバキューム、ミラーなどを両手で操作しながら従来通りの診療が明るい照明下で可能となる。
【００２３】
本体部１１はアルミニウムなどの金属からなり、内部に電池４０が収納可能になっている。キャップ体１３は本体部１１の一部を構成しており、本体部１１の下方の電池４０の収納口に対してネジ止めにより固定されている。また、キャップ体１３は、電池４０の一方の電極の接点となっているとともに、本体部１１内に設けた昇圧回路１４のスイッチとしての機能を有しており、キャップ体１３を所定回転させて電池４０を収納した後、更に回転あるいは戻すことにより、後述する昇圧回路１４に対して電池４０からの電力供給の通電と遮断の切り換えを行っている。スイッチとしては、回転スイッチではなく、キャップ体１３の底部にボタンスイッチを設けるようにしてもよく、さらに、別途、スイッチを本体部１１に設けるようにしてもよい。なお、電池４０としては、単四電池などの円筒型電池を用いることができるが、軽量化のためにはボタン電池などの平型の電池を用いるようにしてもよい。
【００２４】
本体部１１には、光源への電力を供給するための昇圧回路１４が設けられている。昇圧回路１４の出力はリード１５を介して、フック体１２の光照射部３０の付近に固定されたＬＥＤ基板１６に接続されており、ＬＥＤ基板１６に設けたＬＥＤ（発光ダイオード）１７に昇圧回路１４からの電力を供給している。ＬＥＤ１７としては白色発光ダイオードを用いることができる。また、昇圧回路１４からの出力電流が、キャップ体１３の回転角度あるいはキャップ体１３に設けたボタンスイッチのプッシュ回数によって調整可能となるようにし、ＬＥＤ１７の発光強度を調整できるようにしておくことが望ましい。
【００２５】
フック体１２の光照射部３０は、フック体１２に設けた開口部１８によって形成されており、この開口部１８を通してＬＥＤ１７からの光が外部に照射される。開口部１８は、開口そのものであってもよいが、フック体１２内部を密閉するために光透過部材１９を配設してもよい。さらに、光透過部材１９は、ＬＥＤ１７からの出射光を拡散する光拡散パネルあるいは光拡散シートなどの光拡散部材であってもよい。
【００２６】
図４は、本発明に係る口腔内照明具のカバー部材の一例とその装着例を説明するための図であり、図４（Ａ）はカバー部材の一例を示す図、図４（Ｂ）はその装着例を説明するための図である。カバー部材２０は、一端が開口２１を有し他端が閉じた円筒状の合成樹脂材料、例えばシリコンからなる。カバー部材２０はフック体１２を覆うようにフック体１２に対して着脱自在に設けられる。このため、カバー部材２０の内径はフック体１２の外径よりも若干大きくなるように形成されている。そして、患者の下歯には、フック体１２よりも柔軟なカバー部材２０を介してフック体１２が懸架されるため、装着感が良好な口腔内照明具となる。
【００２７】
カバー部材２０をフック体１２に装着する際には、フック体１２の先端部をカバー部材２０の開口２１から挿入していくが、フック体１２とカバー部材２０との摩擦係数を小さくするために、フック体１２の表面とカバー部材２０の内面との少なくとも一方には例えばシボ加工による微細凹凸面が形成されている。また、カバー部材２０の開口端側に長手方向に沿った切込み２２を設け、図４（Ｂ）で示すように実質的な挿入長さを短くして、カバー部材２０のフック体１２への着脱が容易にできるようにしている。なお、カバー部材の切込み２２の長さは、口腔内照明具１を患者に装着した際に、患者の口唇に届かない位置までの長さとなるようにしている。
【００２８】
また、カバー部材２０をフック体１２に装着した際に、フック体１２の開口部１８に位置する部位２０ａは光透過可能に構成し、それ以外の部位２０ｂは光透過不能となるように構成している。光透過可能な部位２０ａは、光拡散部材で構成されていてもよい。また、光透過不能な部位２０ｂは、例えば樹脂材料を着色したり表面を着色したりすることによって作製することができる。このため、光透過不能な部位２０ｂから外部への光の照射が行われないために、光照射部３０から出射された光がカバー部材２０を導光して術者の目に入ることを防止できる。
【００２９】
口腔内照明具１を用いて巡回診療を行う際には、滅菌処理済みのカバー部材２０を複数個準備しておき、患者ごとに取り換えることにより、衛生状態が良好な状態で口腔内の照明を行うことができる。また、使用したカバー部材はそのまま持ち帰り、オートクレープ装置などによって、十分な滅菌処理を行うことができる。
【００３０】
（第２の実施形態）
図５は、本発明に係る口腔内照明具の他の例の断面図であり、カバー部材は図示していない。第１の実施形態では、光源を光照射部３０の近傍に配設されたＬＥＤ１７としていたが、第２の実施形態では、本体部１１に設けた例えば昇圧回路１４の基板にＬＥＤ１７を設け、このＬＥＤ１７からの光をレンズ５１、光ファイバからなるライトガイド５２を介して光照射部３０に導光し、ライトガイド５２の先端部５３からＬＥＤ１７の光を口腔内へ照射するようにしている。なお、第２の実施形態においても、フック体１２の下方に電池４０を内蔵可能な本体部１１を有し、電池４０によって駆動される光源からの光を光照射部３０から照射する点では、第１の実施形態と同じであり、他の構成についても同じであるので、その説明を省略する。
【００３１】
（第３の実施形態）
図６は、本発明に係る口腔内照明具のさらに他の例の断面図である。第１、第２の実施形態では、カバー部材２０を介してフック体１２を下歯に懸架するようにし、患者ごとにカバー部材２０を取り換えるようにしているが、第３の実施形態では、カバー部材２０を覆う透明カバー６０をさらに設けている。この透明カバー６０は例えば一端が閉じた円筒状のビニルカバーであってよく、透明であれば他の材料から作成してもよい。また、透明カバー６０は、少なくともカバー部材２０を設けた部位を覆うものであればよく、図６に示す透明カバー６０’のように、口腔内照明具１全体を覆うものであってもよい。そして、この透明カバー６０を患者ごとに取り換えることにより、カバー部材２０を取り換える必要はなくなる。透明カバー６０自体は、安価なビニルカバーを用いることができるため、使用後は廃棄することができる。
【００３２】
以上、本発明の実施形態について説明したが、光源としてのＬＥＤ１７は１つではなく複数個あっても構わない。また、光照射部３０として複数の開口部１８を設けてもよく、開口ごとにＬＥＤを配置してもよい。さらに、所定の光強度分布が得られるように複数のＬＥＤの輝度をフック体１２に沿って変化させるようにしてもよい。加えて、カバー部材２０の光透過可能な部位２０ａの光透過率をフック体１２の長手方向およびこれと直交する方向に沿って変化させることにより、所望の口腔内照度を得るようにしてもよい。
【符号の説明】
【００３３】
１…口腔内照明具、１１…本体部、１２…フック体、１３…キャップ体、１４…昇圧回路、１５…リード、１６…ＬＥＤ基板、１７…ＬＥＤ（発光ダイオード）、１８…開口部、１９…光透過部材、２０…カバー部材、２１…開口、２２…切込み、３０…光照射部、４０…電池、５１…レンズ、５２…ライトガイド、５３…先端部、６０…透明カバー。
【図１】
2016087299.tif 000003
【図２】
2016087299.tif 000004
【図３】
2016087299.tif 000005
【図４】
2016087299.tif 000006
【図５】
2016087299.tif 000007
【図６】
2016087299.tif 000008